(57)【要約】      （修正有）【課題】２つの異なる体積を持つケーブルを同時に使用できることを利用し、組立てた後の体積を小型化でき、かつ、ケーブルの長さを増長して設置することもできるケーブル巻取り装置を提供する。【解決手段】ケーブル巻き輪２２は容置槽２１１内に枢設し、該ケーブル巻き輪２２の両面にそれぞれフレキシブルプリント回路基板２２３を収容される凹槽２２２とコイルばね２２４を収容される凹槽２２２を備える。また、該ケーブル巻き輪２２の周縁には、環槽２２５を備え、該環槽２２５内に電力接続線２２６が巻装される。環槽２２５の片側の止め壁には少なくとも１つの係止部２２５１を備える。ケーブル巻き輪２２の接線方向沿いで容置槽２１１内に開閉器２３を設けることによって、開閉器２３の防止ブロック２３１１とケーブル巻き輪２２の係止部２２５１とをラッチ関係を形成し、ケーブル巻き輪２２の回転を防止する。【選択図】図２
0003160351.tif 000002
【実用新案登録請求の範囲】
【請求項１】
１つの電力接続線を巻装して収納するケーブル巻取り装置であって、
容置槽を備えるハウジングと、
前記容置槽内に枢設し、両面にそれぞれフレキシブルプリント回路基板が収容される凹槽と、コイルばねが収容される凹槽と、周縁に前記フレキシブルプリント回路基板と接続する前記電力接続線が収容される環槽とを備えるケーブル巻き輪と、
レバー、ばね、引張ばね及び防止ブロックを含み、前記ケーブル巻き輪の接線方向に沿って前記容置槽内に設けられる開閉器と、
を含み、
前記コイルばねの片端は、前記ケーブル巻き輪の凹槽内に固設され、他端は、前記ハウジングの固設され、かつ、前記環槽の片側の止め壁には少なくとも１つの係止部を備え、
前記レバーと前記ばねを着接し、前記防止ブロックと前記引張ばねを着接し、かつ前記レバーと前記防止ブロックと互いに接続することによって、ケーブル巻き輪を位置決めすることができること特徴とする、ケーブル巻取り装置。
【請求項２】
前記容置槽の中心に軸ロッドを設け、前記ケーブル巻き輪の中心に軸孔を備え、前記ケーブル巻き輪を前記軸ロッドの上に枢接してなることを特徴とする、請求項１に記載のケーブル巻取り装置。
【請求項３】
前記軸ロッドの頂部に、前記ケーブル巻き輪の凹槽内にフレキシブルプリント回路基板を設置するに用いる線槽を設けることを特徴とする、請求項２に記載のケーブル巻取り装置。
【請求項４】
前記ケーブル巻き輪の片面の凹槽と前記環槽との間に少なくとも１つの連通孔を設け、前記凹槽内のフレキシブルプリント回路基板を前記連通孔を通過して、前記環槽内の電力接続線と互いに接続することを特徴とする、請求項１に記載のケーブル巻取り装置。
【請求項５】
前記レバーの上に前記ばねと互いに当接する防止ブロック及び前記係止ブロックの方端と接続する押出ブロックを設けることを特徴とする、請求項１に記載のケーブル巻取り装置。
【考案の詳細な説明】
【技術分野】
【０００１】
本考案は電気製品に応用するケーブル収納技術に関し、特に一部の従来の電力接続線に代わってフレキシブルプリント回路基板を使用して、かつ、ケーブルを一方向（単方向）に巻取り、収納できる開閉器を備えるケーブル巻取り装置に関する。
【背景技術】
【０００２】
一般的に電気製品が互いに接続することやコンピューター設備に接続することなどにあたり、１つの接続線を介して電気製品同士や電気製品とコンピューター設備との間などにて、信号接続或いは電気接続が可能になる。
それらの接続線は、直接にその電気製品に接続するものまたは直列接続する延長コードといった２つの種類があり、普通、使用完了後には、ケーブルを収納することが簡単ではないため、電気製品を使用しないときにもケーブルが散らかっている問題がある。
それゆえに、現在それらの接続線を収納するためにケーブル巻取り器が広く使用されている。
前記ケーブル巻取り器によれば、それらの接続線をすばやく収納できるし、また、収納完了後には引張りのせいでケーブルが破断したり、損傷を与えてしまったりすることを避けるも可能になる。
【０００３】
図１は、従来のケーブル巻取り器の概略構成図である。
図１を参照すれば、従来のケーブル巻取り器１０は、固定座１１、回転プレート１２、ケーブル１３、渦巻ばね１４、ラッチ装置１５及び封じ蓋１６を備え、ケーブル巻取り器１０はこれらの部品を組合せて構成される。
また、ケーブル１３を巻きして回転プレート１２の環壁の上に巻装し収納され、それに、渦巻ばね１４は回転プレート１２の内部に設けられる。
また、ラッチ装置１５の揺動アーム１５１の方端を押圧すれば、他端の制止端１５２を外向いて持ち上がられることによって、回転プレート１２の周縁に予め設置された止め縁１２１とのラッチ関係を解除して離れるようになる。
これによって、固定座１１と回転プレート１２との間の渦巻ばね１４をエネルギーを放出してから、ケーブル１３を自動的に回転プレート１２の環壁に巻装されるように、回転プレート１２を巻き動いて、大幅に使用時の利便性を向上できる。
【０００４】
しかしながら、大部分の電気製品は現在、単一のケーブル１３、いわゆる一般的に良く見かけられる絶縁ゴムを被覆する電力接続線である。
このような電力接続線はゴムを被覆しているため、より大きい体積を必要とし、それゆえに回転プレート１２に巻き取られて収納している時に、より大きい収納空間を占めし易くなる。より大きい収納空間が必要とするために、このようなケーブル巻取り器１０はより大きい体積を備えなければならない。
しかし、現在、大多数の電気製品の体積小型化の傾向から、今現在ケーブル巻取り器１０は、固定座１１及び回転プレート１２の体積を加えた制限があるため、内部の収納空間が足りなくなる。また、ケーブル１３の使用長さ自身も制限を掛って、使用時に不便を与えてしまい、改善する必要がある。
【考案の概要】
【考案が解決しようとする課題】
【０００５】
従って、本考案人は一種の扁平なフレキシブルプリント回路基板（Ｆｌｅｘｉｂｌｅ  Ｐｒｉｎｔｅｄ  Ｃｉｒｃｕｉｔ，ＦＰＣ）を収容するとともに、絶縁ゴムを覆設している電力接続線も収容できるケーブル巻取り装置を設計して、ケーブルの体積が原因で占めてしまった空間を減少することを目的とし、組立てた後の体積をより有効に小型化でき、さらに使用時のケーブル長さを増長し、使用時の利便性を大幅に向上できることを目的とする。
【０００６】
本考案の目的は、一種のケーブル巻取り装置を提供することである。
このケーブル巻取り装置は、２つの異なる体積を持つケーブルを同時に使用できることを利用し、組立てた後の体積を小型化でき、かつ、ケーブルの長さを増長して設置することもできる。
【課題を解決するための手段】
【０００７】
上記の目的を達成するために、本考案に係るケーブル巻取り装置においては、容置槽を備えるハウジング、ケーブル巻き輪及び開閉器を含む。
ケーブル巻き輪は該容置槽内に枢設し、該ケーブル巻き輪の両面にそれぞれフレキシブルプリント回路基板を収容される凹槽とコイルばねを収容される凹槽を備える。
該コイルばねの片端は該ケーブル巻き輪の凹槽に固設し、他端は該線槽内に固設する。
また、該ケーブル巻き輪の周縁には、環槽を備え、該環槽内に電力接続線が巻装している。
該電力接続線は、該フレキシブルプリント回路基板と互いに接続している。該環槽の片側の止め壁には少なくとも１つの係止部を備える。
該開閉器は、該ケーブル巻き輪の接線方向沿いで該容置槽内に設けられ、該ケーブル巻き輪の係止部をラッチするように用いる。
【０００８】
１つの実施の形態においては、該容置槽の中心に軸ロッドを設け、該ケーブル巻き輪の中心に軸孔を備える。これによって、該ケーブル巻き輪を該軸ロッドの上に枢接する。
該軸ロッドの頂部に線槽を設け、該ケーブル巻き輪の凹槽内のフレキシブルプリント回路基板を設置するに用いる。
さらに、該ケーブル巻き輪の片面の凹槽及び該環槽の間に少なくとも１つの連通孔を設けるによって、該凹槽内のフレキシブルプリント回路基板を連通孔を通過して、該環槽内の電力接続線と互いに接続する。
該ハウジングはさらに１つの上蓋を設け、該ハウジングを密閉に用いる。
【０００９】
すなわち、本願の第１考案は、１つの電力接続線を巻装して収納するケーブル巻取り装置であって、容置槽を備えるハウジングと、前記容置槽内に枢設し、両面にそれぞれフレキシブルプリント回路基板が収容される凹槽と、コイルばねが収容される凹槽と、周縁に前記フレキシブルプリント回路基板と接続する前記電力接続線が収容される環槽とを備えるケーブル巻き輪と、レバー、ばね、引張ばね及び防止ブロックを含み、前記ケーブル巻き輪の接線方向に沿って前記容置槽内に設けられる開閉器と、を含み、前記コイルばねの片端は、前記ケーブル巻き輪の凹槽内に固設され、他端は、前記ハウジングの固設され、かつ、前記環槽の片側の止め壁には少なくとも１つの係止部を備え、前記レバーと前記ばねを着接し、前記防止ブロックと前記引張ばねを着接し、かつ前記レバーと前記防止ブロックと互いに接続することによって、ケーブル巻き輪を位置決めすることができること特徴とする、ケーブル巻取り装置を提供することを要旨とする。
【００１０】
また、本願の第２考案は、前記容置槽の中心に軸ロッドを設け、前記ケーブル巻き輪の中心に軸孔を備え、前記ケーブル巻き輪を前記軸ロッドの上に枢接してなることを特徴とする、前記第１考案に記載のケーブル巻取り装置。を提供することを要旨とする。
【００１１】
また、本願の第３考案は、前記軸ロッドの頂部に、前記ケーブル巻き輪の凹槽内にフレキシブルプリント回路基板を設置するに用いる線槽を設けることを特徴とする、前記第２考案に記載のケーブル巻取り装置を提供することを要旨とする。
【００１２】
また、本願の第４考案は、前記ケーブル巻き輪の片面の凹槽と前記環槽との間に少なくとも１つの連通孔を設け、前記凹槽内のフレキシブルプリント回路基板を前記連通孔を通過して、前記環槽内の電力接続線と互いに接続することを特徴とする、前記第１考案に記載のケーブル巻取り装置を提供することを要旨とする。
【００１３】
また、本願の第５考案は、前記レバーの上に前記ばねと互いに当接する防止ブロック及び前記係止ブロックの方端と接続する押出ブロックを設けることを特徴とする、前記第１考案に記載のケーブル巻取り装置を提供することを要旨とする。
【００１４】
これによって、本考案はより扁平なフレキシブルプリント回路基板を該ケーブル巻き輪の片面の凹槽内に巻装するに対して、体積より太い電力接続線を該ケーブル巻き輪の環槽内に巻装する。
該フレキシブルプリント回路基板と該電力接続線と互いに接続していることを利用し、従来の全部該電力接続線を使用し、占めた空間を減少して、軽薄化した設計という目的を達成することができる。
【００１５】
本考案の別の目的は、一種のケーブル巻取り装置の開閉器構造を提供することである。この開閉器構造は、ラッチ方式でケーブルの引き出し及び巻き取りを行うことのできる収納操作できるため、使用時の利便性を大幅に向上できる。
【００１６】
上記の目的を達成するために、本考案に係る開閉器構造においては、レバー、ばね、引張ばね及び防止ブロックを含む。
該レバーと該ばねを着接し、該防止ブロックと該引張ばねを着接し、かつ該レバーと該防止ブロックと互いに接続する。これによって、ケーブル巻き輪を位置決める効果があるように、該防止ブロックと該係止部と互いに当接する。
また、該レバーの上に防止ブロック及び押出ブロックを設け、該防止ブロックは、該ばねと互いに当接し、該押出ブロックは、該係止ブロックの片端に接続する。
さらに、ケーブルを引き出すに使用時においては、該防止ブロックを該ケーブル巻き輪と当接するによって、引き出したケーブルを位置決める効果を達成する。
また、該レバーを押して動いた後にコイルばねの回復力を利用して、該電力接続線をもう一度該ケーブル巻き輪の上に復帰するように案内でき、使用時の利便性を大幅に向上できる。
【考案の効果】
【００１７】
本考案のケーブル巻取り装置によれば、ケーブル巻き輪の上に２つの異なる体積を持ちケーブルを同時に使用できることを利用し、収納後の必要な体積を縮減できることから、組立た後の体積を小型化し、さらに、ケーブルの長さを増長して設置する効果もある。
さらに、本考案にケーブル巻き輪を正向向きまたは逆向向きに回転することを制御できる開閉器の構造を設けることによって、ラッチ方式でケーブル巻き輪の周縁にの係止部と係合うことを介して、ケーブルの引き出し及び巻き取りを行う収納操作が可能となり、使用時の利便性を大幅に向上できる。
【図面の簡単な説明】
【００１８】
【図１】従来のケーブル巻取り器の概略構成図である。
【図２】本考案の好ましい実施の形態に係るケーブル巻取り装置の分解斜視図である。
【図３】本考案の好ましい実施の形態に係るケーブル巻取り装置を組み立た後の外観斜視図である。
【図４】本考案の好ましい実施の形態に係るケーブル巻取り装置の使用状態を示す概略図（１）である。
【図５】本考案の好ましい実施の形態に係るケーブル巻取り装置の使用状態を示す概略図（２）である。
【考案を実施するための形態】
【００１９】
本考案のさらに別の態様、目的、望ましい特徴、及び利点は、添付の図面を参照して行う以下の説明から、より明確に理解できるであろう。
【００２０】
図２は、本考案の好ましい実施の形態に係る、単一方向に巻き取り可能なケーブル巻取り装置の分解斜視図であり、図３は、本考案の好ましい実施の形態に係るケーブル巻取り装置を組み立た後の外観斜視図である。
図２と図３を参照し、これらの図において、本考案に係るケーブル巻取り装置２０は、ハウジング２１、ケーブル巻き輪２２及び開閉器２３を含む。
【００２１】
そのうち、該ハウジング２１の中心に容置槽２１１を備え、該容置槽２１１の中心に軸ロッド２１２を設け、また、該軸ロッド２１２の頂部に線槽２１２１をさらに設ける。
【００２２】
該ケーブル巻き輪２２を該軸ロッド２１２の上に枢接できるように、該ケーブル巻き輪２２の中心に軸孔２２１を備える。
また、該ケーブル巻き輪２２の両面にそれぞれフレキシブルプリント回路基板２２３を収容される凹槽２２２及びコイルばね２２４を収容される凹槽２２２を備える。
該フレキシブルプリント回路基板２２３は２つの凹槽２２２のうちの１つの凹槽２２２内に巻装される。
該コイルばね２２４を他の面にある凹槽２２２内に設けられ、該コイルばね２２４の片端は、該ケーブル巻き輪２２の凹槽２２２内に固設し、他端は、該線槽２１２１内に固設する。
また、該コイルばね２２４を該凹槽２２２内部に密封するように、凹槽２２２においてはさらに封じ蓋２２２１を設ける。
該コイルばね２２４は、該ケーブル巻き輪２２を該ハウジング２１に対して回転して生成するエネルギーを受けられ、エネルギーを貯めるように該コイルばね２２４を正向向きに回転して圧縮し、またはエネルギーを釈放するように逆向きに回転する。
また、該フレキシブルプリント回路基板２２３は該ケーブル巻き輪２２の回転に従って、正向向きまたは逆向向きに回転することを行い、長さの変化を生じる（伸びあるいは縮み）。
また、該ケーブル巻き輪２２の周縁に環槽２２５を備え、該環槽２２５内に電力接続線２２６を巻装され、該電力接続線２２６の方端に該フレキシブルプリント回路基板２２３と互いに接続し、該電力接続線２２６の他端に信号接続用のコネクタ２２６１を設けられる。
また、該環槽２２５のうちの片側の止め壁は少なくとも１つの係止部２２５１を備える。
さらに、該ケーブル巻き輪２２は該フレキシブルプリント回路基板２２３の凹槽２２２を設置し、凹槽２２２と該環槽２２５の間にに少なくとも１つの連通孔２２７を設けるによって、フレキシブルプリント回路基板２２３を連通孔２２７を通過して、該環槽２２５内の電力接続線２２６と互いに接続する。
【００２３】
該開閉器２３においては、レバー２３１、ばね２３２、引張ばね２３３及び係止ブロック２３４をさらに含む。
そのうち、該レバー２３１と該ばね２３２を着接し、該係止ブロック２３４と該引張ばね２３３を着接し、かつ該レバー２３１と該係止ブロック２３４と互いに接続する。
ばね２３２は該係止ブロック２３４を押すことによって、該ケーブル巻き輪２２の回転を位置決められるように、ケーブル巻き輪２２のを係止部２２５１の上に当接することによってラッチ効果を達成する。
さらに、該レバー２３１の上に防止ブロック２３１１及び押出ブロック２３１２を設け、該防止ブロック２３１１は該係止ブロック２３４の方端と接続し、該押出ブロック２３１２は該ばね２３２と互いに当接し、該レバー２３１は、該ケーブル巻き輪２２の接線方向沿いで該容置槽２１１内に設けられ、該係止ブロック２３４を該ケーブル巻き輪２２の係止部２２５１とラッチするように連動するに用いる。
【００２４】
さらに、該ハウジング２１の上方に上蓋２４をさらに設け、該ハウジング２１を密封できるように、該上蓋２４は該ハウジング２１の外枠に相応する。
なお、上記の構成部品を該上蓋２４と該ハウジング２１と生成する収容空間内に密封し、かつ、該上蓋２４はさらに貫通孔２４１を備え、該電力接続線２２６を貫設するに用いる。
また、使用時の機能に影響を与えず、ここでは、これらについての説明は、省略する。
【００２５】
これによって、本考案は体積より扁平なフレキシブルプリント回路基板２２３を該ケーブル巻き輪２２の片面の凹槽２２２内に巻装し、フレキシブルプリント回路基板２２３の片端を該連通孔２２７を通過して、体積より太い該電力接続線２２６の方端と互いに接続している、また、該電力接続線２２６を該ケーブル巻き輪２２の片面の環槽２２５内に巻装し、該フレキシブルプリント回路基板２２３と該電力接続線２２６と互いに接続していることを利用し、従来の全部該電力接続線２２６を使用し、体積が大きくて、占めた空間も大きい欠点を改善し、軽薄化した設計という目的を達成することができる。
【００２６】
図４は、本考案の好ましい実施の形態に係るケーブル巻取り装置の使用状態を示す概略図（１）であり、図５は、本考案の好ましい実施の形態に係るケーブル巻取り装置の使用状態を示す概略図（２）である。
図４と図５に示すうなケーブル巻取り装置と図２と合せて参照すれば、使用者が該電力接続線２２６を引き出して使用する場合には、該コイルばね２２４を圧縮してエネルギーを貯めるように、ケーブル巻き輪２２を正向向きに回転するように連動する。
ケーブルを引き出す時にの位置決め効果を達成できるように、係止ブロック２３４を介してケーブル巻き輪２２の周縁にの係止部２２５１と当接する。
さらに、使用者が該レバー２３１を押せば、該レバー２３１の防止ブロック２３１１を連動し、該係止部２２５１と分離するように該係止ブロック２３４を押させる。
同時に、コイルばね２２４を釈放後の回復力を利用し、該電力接続線２２６をもう一度該ケーブル巻き輪２２の上に復帰するように案内でき、ケーブル巻き輪２２を逆向向きに回転するように連動する。
使用者に対し、このような操作は片手で操作できるので、相当に便利かつ簡単であり、使用時の利便性を大幅に向上できる。
【００２７】
上記した通り、図２〜図５に示すように、本考案を実施すれば、以下の長所を有する。
【００２８】
（１）本考案のケーブル巻取り装置によれば、ケーブル巻き輪２２の上に２つの異なる体積を持ちケーブルを同時に使用できることを利用し、収納後の必要な体積を縮減できることから、組立た後の体積を小型化し、さらに、ケーブルの長さを増長して設置する効果もある。
【００２９】
（２）さらに、本考案に該ケーブル巻き輪２２を正向向きまたは逆向向きに回転することを制御できる開閉器２３の構造を設けることによって、ラッチ方式でケーブル巻き輪２２の周縁にの係止部２２５１と係合うことを介して、ケーブルの引き出し及び巻き取りを行うことのできる収納操作できるため、使用時の利便性を大幅に向上できる。
【００３０】
上記で説明したものは、あくまでも本考案による好ましい実施形態を参考しながらこの考案を説明したものであり、実用新案登録請求の範囲を制限するものではない。例えば、ハウジング及び上蓋の外形、寸法など、あるいはケーブル巻き輪の形状など、または、開閉器の構造及び形状など、すべては本考案の権利範囲及び明細書の内容による効果等の変化や変更であり、本考案の範囲に含まれるものとする。
【符号の説明】
【００３１】
１０      ケーブル巻取り器
１１      固定座
１２      回転プレート
１２１    止め縁
１３      ケーブル
１４      渦巻ばね
１５      ラッチ装置
１５１    揺動アーム
１５２    制止端
１６      封じ蓋
２０      ケーブル巻取り装置
２１      ハウジング
２１１    容置槽
２１２    軸ロッド
２１２１  線槽
２２      ケーブル巻き輪
２２１    軸孔
２２２    凹槽
２２２１  封じ蓋
２２３    フレキシブルプリント回路基板
２２４    コイルばね
２２５    環槽
２２５１  係止部
２２６    電力接続線
２２６１  コネクタ
２２７    連通孔
２３      開閉器
２３１    レバー
２３１１  防止ブロック
２３１２  押出ブロック
２３２    ばね
２３３    引張ばね
２３４    係止ブロック
２４      上蓋
２４１    貫通孔
【図１】
0003160351.tif 000003
【図２】
0003160351.tif 000004
【図３】
0003160351.tif 000005
【図４】
0003160351.tif 000006
【図５】
0003160351.tif 000007
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
１つの電力接続線を巻装して収納するケーブル巻取り装置であって、
容置槽を備えるハウジングと、
前記容置槽内に枢設し、両面にそれぞれフレキシブルプリント回路基板が収容される凹槽と、コイルばねが収容される凹槽と、周縁に前記フレキシブルプリント回路基板と接続する前記電力接続線が収容される環槽とを備えるケーブル巻き輪と、
レバー、ばね、引張ばね及び係止ブロックを含み、前記ケーブル巻き輪の接線方向に沿って前記容置槽内に設けられる開閉器と、
を含み、
前記コイルばねの片端は、前記ケーブル巻き輪の凹槽内に固設され、他端は、前記ハウジングの固設され、かつ、前記環槽の片側の止め壁には少なくとも１つの係止部を備え、
前記レバーと前記ばねを着接し、前記係止ブロックと前記引張ばねを着接し、かつ前記レバーと前記係止ブロックと互いに接続することによって、ケーブル巻き輪を位置決めすることができること特徴とする、ケーブル巻取り装置。
【請求項２】
前記容置槽の中心に軸ロッドを設け、前記ケーブル巻き輪の中心に軸孔を備え、前記ケーブル巻き輪を前記軸ロッドの上に枢接してなることを特徴とする、請求項１に記載のケーブル巻取り装置。
【請求項３】
前記軸ロッドの頂部に、前記ケーブル巻き輪の凹槽内にフレキシブルプリント回路基板を設置するに用いる線槽を設けることを特徴とする、請求項２に記載のケーブル巻取り装置。
【請求項４】
前記ケーブル巻き輪の片面の凹槽と前記環槽との間に少なくとも１つの連通孔を設け、前記凹槽内のフレキシブルプリント回路基板を前記連通孔を通過して、前記環槽内の電力接続線と互いに接続することを特徴とする、請求項１に記載のケーブル巻取り装置。
【請求項５】
前記レバーの上に前記ばねと互いに当接する押出ブロック及び前記係止ブロックの方端と接続する防止ブロックを設けることを特徴とする、請求項１に記載のケーブル巻取り装置。
【手続補正２】
【補正対象書類名】明細書
【補正対象項目名】０００９
【補正方法】変更
【補正の内容】
【０００９】
すなわち、本願の第１考案は、１つの電力接続線を巻装して収納するケーブル巻取り装置であって、容置槽を備えるハウジングと、前記容置槽内に枢設し、両面にそれぞれフレキシブルプリント回路基板が収容される凹槽と、コイルばねが収容される凹槽と、周縁に前記フレキシブルプリント回路基板と接続する前記電力接続線が収容される環槽とを備えるケーブル巻き輪と、レバー、ばね、引張ばね及び係止ブロックを含み、前記ケーブル巻き輪の接線方向に沿って前記容置槽内に設けられる開閉器と、を含み、前記コイルばねの片端は、前記ケーブル巻き輪の凹槽内に固設され、他端は、前記ハウジングの固設され、かつ、前記環槽の片側の止め壁には少なくとも１つの係止部を備え、前記レバーと前記ばねを着接し、前記係止ブロックと前記引張ばねを着接し、かつ前記レバーと前記係止ブロックと互いに接続することによって、ケーブル巻き輪を位置決めすることができること特徴とする、ケーブル巻取り装置を提供することを要旨とする。
【手続補正３】
【補正対象書類名】明細書
【補正対象項目名】００１３
【補正方法】変更
【補正の内容】
【００１３】
また、本願の第５考案は、前記レバーの上に前記ばねと互いに当接する押出ブロック及び前記係止ブロックの方端と接続する防止ブロックを設けることを特徴とする、前記第１考案に記載のケーブル巻取り装置を提供することを要旨とする。
【手続補正４】
【補正対象書類名】明細書
【補正対象項目名】００１６
【補正方法】変更
【補正の内容】
【００１６】
上記の目的を達成するために、本考案に係る開閉器構造においては、レバー、ばね、引張ばね及び係止ブロックを含む。
該レバーと該ばねを着接し、該係止ブロックと該引張ばねを着接し、かつ該レバーと該係止ブロックと互いに接続する。これによって、ケーブル巻き輪を位置決める効果があるように、該係止ブロックと該係止部と互いに当接する。
また、該レバーの上に防止ブロック及び押出ブロックを設け、該押出ブロックは、該ばねと互いに当接し、該防止ブロックは、該係止ブロックの片端に接続する。
さらに、ケーブルを引き出して使用する時においては、該係止ブロックを該ケーブル巻き輪と当接するによって、引き出したケーブルを位置決める効果を達成する。
また、該レバーを押して動いた後にコイルばねの回復力を利用して、該電力接続線をもう一度該ケーブル巻き輪の上に復帰するように案内でき、使用時の利便性を大幅に向上できる。